(57)【要約】   【課題】  収納ケース内に収納時には安定した収納状態となり、取り出し時には取り出しやすくかつ不用意に落ちたりしない構造を持つ記録メディア収納ケースを提供する。  【解決手段】  保持する記録メディアを谷折れで挟む２片のベースシート１１０Ａ、１１０Ｂと、ベースシートの間を橋渡しするように設けられ、ベースシート１１０Ａと１１０Ｂの谷折れ線に相当する箇所に山折れ線を持つ記録メディア保持シート１２０Ａ、１２０Ｂを備えている。記録メディア保持シートの山折れ線上には記録メディアの縁を挟み持つスリット部１２１が設けられている。ベースシート１１０が谷折れに閉じた状態から開いてゆくに従って記録メディア保持シート１２０が山折れに閉じた状態から開いてゆき、スリット部１２１Ａ、１２１Ｂが記録メディア２００をベースシート１１０の谷折れ線に対して立てて保持する仕組みとなっている。【選択図】  図６
2007331842.tif 000002
【特許請求の範囲】
【請求項１】
保持する記録メディアを谷折れで挟む２片のベースシートと、
前記２片のベースシートの谷折れ面の間を橋渡しするように設けられ、前記ベースシートの谷折れ線に相当する箇所に山折れ線を持ち、前記山折れ線上に前記記録メディアの縁を挟み持つスリット部を備えた記録メディア保持シートを備え、
前記ベースシートが谷折れに閉じた状態から開いてゆくに従って記録メディア保持シートが山折れに閉じた状態から開いてゆき、前記記録メディア保持シートの山折れ線が前記ベースシートの谷折れ線に対して角度を持つ状態から沿う状態まで相対運動をし、
前記相対運動の過程において、前記記録メディア保持シートのスリット部が前記記録メディアを前記ベースシートの谷折れ線に対して立てて保持することを特徴とする記録メディア収納ケース。
【請求項２】
記録メディアの抜け落ちを防止するための補助シートを前記ベースシートの周辺に設けたことを特徴とする請求項１に記載の記録メディア収納ケース。
【請求項３】
記録メディアの付属物を収納するポケットを前記ベースシートの周辺に設けたことを特徴とする請求項１または２に記載の記録メディア収納ケース。
【請求項４】
前記ベースシートを内部に嵌挿する筒状の保護カバーを備えた請求項１から３のいずれか１項に記載の記録メディア収納ケース。
【発明の詳細な説明】
【技術分野】
【０００１】
本発明は、ＣＤ（コンパクトディスク）やＤＶＤ（デジタルビデオディスク）などの記録メディアを収納する記録メディア収納ケースに関するものである。
【背景技術】
【０００２】
ＣＤやＤＶＤという記録メディアは記録面に傷がつかないように保存することが必要であるため、記録メディア全体をカバーする収納ケースが用いられる。記録メディアの保存のため構造強度を十分に保つべく硬質プラスチックケースを用いる例が多い。一般にＣＤやＤＶＤが市販されている状態ではこの硬質プラスチックケースが用いられている例がほとんどである。
しかし、従来の硬質プラスチック素材の記録メディア収納ケースは、円盤状の記録メディアの中央穴の留め具が設けられた板体と当該板体に重ねるカバーを備えたものであるが、開けにくく、取り外しにくいものであり、取り出し時に記録メディアを傷つけてしまったり逆に収納ケース側を割ってしまったりする事故が発生することがあった。
【０００３】
また、近年、環境問題への関心の高まりから、廃棄時にごみ処理の問題が発生する従来の硬質プラスチック素材の収納ケースに代え、紙製を素材とする収納ケースが提案されている。
【０００４】
例えば、従来の紙製の記録メディア収納ケースとして特開２００４−１９６３７７号公報の技術が知られている。特開２００４−１９６３７７号公報の技術は、図８に示すように、３片の紙からなる収納ケースであり、１片にバンド２８の切れ込みを入れておき、このバンド２８に記録メディアを通し入れることにより固定したものである。この３片の紙を折り畳んで記録メディア全体を包むように収納するものである。
【０００５】
また、例えば、他の従来の紙製の記録メディア収納ケースとして特開２００６−１２３９７２号公報が知られている。図９に見るように、特開２００６−１２３９７２号公報の技術は２片の紙からなる収納ケースであり、２片の紙で記録メディア全体を挟み込み、２片それぞれに封止片を設けるとともに一方の封止片に記録メディア用のストッパー５を設け、他方の封止片にストッパーの切欠穴に装入して係合する連結片を設けることにより構成したものである。すなわち、２片で記録メディアを挟み込み、封止片を連結して留め、封止片によってＣＤケース内に装入したＣＤの飛び出しを防止しつつ開口部を封止することができるものである。
【０００６】
また、例えば、他の従来の紙製の記録メディア収納ケースとして特開２００２−６８３５４号公報が知られている。特開２００２−６８３５４号公報の技術は、図１０に見るように、複数片、例えば、８片の紙からなる収納ケースであって、そのうちの１片にスリットを設けて記録メディアを保持する仕組みを作っておき、他の７片を折りたたんで記録メディアを収納する。この特開２００２−６８３５４号公報の技術は他の７片の折り方として多様なものを可能とした点にある。つまり、折り畳み方によっては記録メディアを内包した片が表面に来る折り方や内側に隠れる折り方などが可能となり、収納目的に応じて多様な収納スタイルを可能としたものである。
【０００７】
また、例えば、他の従来の紙製の記録メディア収納ケースとして特開２００１−５５２８７号公報が知られている。特開２００１−５５２８７号公報の技術によれば、図１１に見るように、複数片、例えば、４片の紙からなる収納ケースであって、そのうちの１片の紙の表面に記録メディアが収まるエンボスを設けるとともに、吸着性のある吸着シートを記録メディアの非記憶領域に対応する位置に設けておき、収納ケース内へ固着させて保持するものである。
【０００８】
【特許文献１】特開２００４−１９６３７７号公報
【特許文献２】特開２００６−１２３９７２号公報
【特許文献３】特開２００２−６８３５４号公報
【特許文献４】特開２００１−５５２８７号公報
【発明の開示】
【発明が解決しようとする課題】
【０００９】
これらの紙媒体を素材としたものは、収納ケース内での記録メディアの保持方法と取り出し方法が問題となってくる。硬質プラスチック収納ケースの場合、記録メディアの中央孔に嵌合する係止突起部があり、記録メディアの中央孔を当該係止突起部に嵌合させてしっかりと固定するので収納ケース内でＣＤは安定している。しかし、紙媒体で製作する場合、記録メディアの中央孔に嵌合する係止突起部を紙素材で提供することは難しい。
【００１０】
上記特開２００４−１９６３７７号公報や特開２００２−６８３５４号公報の技術では帯状またはポケット状のスリットに挟み入れるものとなっている。安定性を増すためにはスリット内の遊びを小さくして記録メディアをきつく挟み締める必要がある。きつく挟み締めることにより記録メディアは収納ケース内では安定しているが、取り出し時は記録メディアとスリットが密着して取り出しにくいものであった。
【００１１】
上記特開２００１−５５２８７号公報の技術では粘着性のあるシートで吸着させて接着させるものとなっている。吸着シートで接着するために記録メディアは安定した状態で収納ケース内に保持されることとなる。しかし、取り出し時は記録メディアを吸着シートから剥がす必要があり、剥がした表紙に記録メディアを落としてしまうこともあり、また、記録メディアと紙片および吸着シートが密着しているために取り出しにくいものであった。
【００１２】
上記特開２００６−１２３９７２号公報の技術では記録メディアを２枚の紙片で挟み込みつつ封止片で２枚の紙片を留めるものとなっている。記録メディアを２片の紙片で挟みこんでいるので記録メディアは安定した状態で収納ケース内に保持されることとなる。しかし、２枚の紙片で挟みこんでいるのみであるので、取り出し時に封止片を外して挟み込みを開放した後に落ちてしまう問題があった。
【００１３】
上記問題点に鑑み、本発明は、収納ケース内に収納時には安定した収納状態となり、取り出し時には取り出しやすく、かつ、不用意に落ちたりしない構造を持つ記録メディア収納ケースを提供することを目的とする。
【課題を解決するための手段】
【００１４】
上記目的を達成するため、本発明にかかる記録メディア収納ケースは、
保持する記録メディアを谷折れで挟む２片のベースシートと、
前記２片のベースシートの谷折れ面の間を橋渡しするように設けられ、前記ベースシートの谷折れ線に相当する箇所に山折れ線を持ち、前記山折れ線上に前記記録メディアの縁を挟み持つスリット部を備えた記録メディア保持シートを備え、
前記ベースシートが谷折れに閉じた状態から開いてゆくに従って記録メディア保持シートが山折れに閉じた状態から開いてゆき、前記記録メディア保持シートの山折れ線が前記ベースシートの谷折れ線に対して角度を持つ状態から沿う状態まで相対運動をし、
前記相対運動の過程において、前記記録メディア保持シートのスリット部が前記記録メディアを前記ベースシートの谷折れ線に対して立てて保持することを特徴とする。
【００１５】
上記構成により、記録メディア収納ケース内に収納時にはベースシートに挟み込まれて安定した収納状態となり、取り出し時には記録メディア保持シートのベースシートに対する相対運動により、記録メディア保持シートのスリット部により記録メディアの縁を挟み持ち、ベースシートに対して記録メディアを立てるので取り出しやすくなる。
【００１６】
次に、上記構成において、記録メディアの抜け落ちを防止するための補助シートを前記ベースシートの周辺に設けておくことが好ましい。
上記構成により、記録メディア収納ケース内に収納時において、不用意に記録メディアが抜け落ちてしまう事故を防止することができる。
【００１７】
また、記録メディアの付属物を収納するポケットを前記ベースシートの周辺に設けておくことも好ましい。
上記構成により、記録メディアの付属物も併せて収納することができる。
【００１８】
次に、上記構成において、前記ベースシートを内部に嵌挿する筒状の保護カバーを備えた構成とすることが好ましい。
上記構成により、記録メディア収納ケース内に収納時において、筒状の保護カバーによりベースシート全体を嵌挿しておくことにより不用意に記録メディアが抜け落ちてしまう事故を防止することができる。
【発明の効果】
【００１９】
本発明の記録メディア収納ケースは、収納ケース内に収納時には安定した収納状態となり、取り出し時には取り出しやすく、かつ、不用意に記録メディアが落ちたりしない優れた記録メディア収納ケースである。
【発明を実施するための最良の形態】
【００２０】
以下、図面を参照しつつ、本発明の記録メディア収納ケースの実施例を説明する。ただし、本発明の範囲は以下の実施例に示した具体的な用途、形状、個数などには限定されないことは言うまでもない。
【実施例１】
【００２１】
実施例１にかかる本発明の記録メディア収納ケースの例を示す。
ここでは、一例として、記録メディアの例として、コンパクトディスク（ＣＤ）を挙げて説明する。
【００２２】
図１は実施例１にかかる本発明の記録メディア収納ケース１００の収納状態の６面図を示す図である。本発明の記録メディア収納ケース１００は、記録メディア２００の抜け落ちを防止するための補助シート１３０がベースシート１１０の周辺に設けられているが、この実施例では、記録メディア収納ケース１００は収納状態においては補助シート１３０により包まれた状態となっている。
図１に見るように、正面視において、補助シート１３０Ｄ、１３０Ａ、１３０Ｂが見えている。背面視において、補助シート１３０Ｃが見えている。
【００２３】
図２から図３は、実施例１にかかる本発明の記録メディア収納ケース１００の収納状態から記録メディア２００の取り出し状態までの展開の様子を示した図である。なお、図３（ｂ）は構造上展開可能なまで展開した図であり、図３（ａ）の時点で記録メディア２００を取り出せる状態となっている。
【００２４】
展開は以下の手順で行う。
まず、図２（ａ）に示すように、補助シート１３０Ａを補助シート１３０Ｂから開放して開く。
【００２５】
次に、図２（ｂ）に示すように、補助シート１３０Ｂを右方向に開く。補助シート１３０Ｂを右方向に開くと補助シート１３０Ｂの下に重なっていた補助シート１３０Ｄが現れ、補助シート１３０Ｂの裏面に接していた補助シート１３０Ｃが見える。
【００２６】
次に、図３（ａ）から図３（ｂ）に示すように、補助シート１３０Ｄを右方向に開く。補助シート１３０Ｄを右方向に開くと補助シート１３０Ｄの下に重なっていたベースシート１１０Ａが現れ、補助シート１３０Ｅの裏面に位置するベースシート１１０Ｂが見える。つまり、この状態はベースシート１１０Ａとベースシート１１０Ｂの谷折れ状態が開放されて開かれた状態となっている。
このベースシート１１０Ａおよび１１０Ｂは、記録メディアを谷折れで挟んで保持する基材となっている。
【００２７】
図３（ａ）のベースシート１１０Ａとベースシート１１０Ｂの谷折れ状態が開放された状態において、記録メディア保持シート１２０Ａおよび１２０Ｂが見えている。記録メディア保持シート１２０Ａおよび１２０Ｂは、２片のベースシート１１０Ａおよび１１０Ｂの谷折れ面の間を橋渡しするように設けられている。なお、図３（ｂ）は構造上可能なまで展開した様子であり、ベースシート１１０Ａおよび１１０Ｂが下に展開され、その裏面に位置していた補助シート１３０Ｂおよび１３０Ｄが見えている。図３（ｂ）における記録メディア補助シート１２０Ａおよび１２０Ｂは図３（ａ）で見えている記録メディア補助シート１２０Ａおよび１２０Ｂの裏面側が見えていることとなる。
【００２８】
記録メディア保持シート１２０Ａおよび１２０Ｂの説明を続ける。記録メディア保持シート１２０Ａおよび１２０Ｂにおいて、ベースシート１１０Ａおよび１１０Ｂが谷折れで閉じているとき、記録メディア保持シート１２０Ａおよび１２０Ｂはその内部で山折れに閉じている。この山折れ線上に記録メディア２００の縁を挟み持つスリット部１２１Ａおよび１２１Ｂが設けられている。
【００２９】
この記録メディア保持シート１２０Ａおよび１２０Ｂの山折れ構造はベースシート１１０Ａおよび１１０Ｂの動きに応じて動く構造となっている。
ベースシート１１０Ａおよび１１０Ｂが図２（ｂ）の谷折れに閉じた状態から図３（ａ）まで開いてゆくに従って、記録メディア保持シート１２０Ａおよび１２０Ｂが山折れに閉じた状態から開いて行く。
【００３０】
記録メディア保持シート１２０Ａおよび１２０Ｂの山折れ状態とそれらの動きを説明する。記録メディア保持シート１２０Ａおよび１２０Ｂの山折れ線は、山折れ状態においてはベースシート１１０Ａおよび１１０Ｂの谷折れ線とは平行ではなく角度を持つ状態となっており、山折れ状態が開いてゆくに従ってベースシート１１０Ａおよび１１０Ｂの谷折れ線に沿う状態まで相対運動する。図４（ａ）はベースシート１１０Ａおよび１１０Ｂが図２（ｂ）の谷折れに閉じた状態における記録メディア保持シート１２０Ａおよび１２０Ｂの山折れの状態を点線で示したものである。図４（ｂ）は記録メディア２００が記録メディア収納ケース１００内で収納されている様子を点線で示している。この実施例では記録メディア保持シート１２０Ａおよび１２０Ｂの山折れ線はベースシート１１０Ａおよび１１０Ｂの谷折れ線に対して直角になっている（ここで、図４（ａ）におけるスリット部１２１Ａおよび１２１Ｂがあるラインが記録メディア保持シート１２０Ａおよび１２０Ｂの山折れ線である）。この図４の状態からベースシート１１０Ａおよび１１０Ｂが図３（ａ）のように開いてゆくに従って、記録メディア保持シート１２０Ａおよび１２０Ｂの山折れ線は徐々にベースシート１１０Ａおよび１１０Ｂの谷折れ線に向かって接近してゆき、図３（ａ）のようにベースシート１１０Ａおよび１１０Ｂが開き切った状態では記録メディア保持シート１２０Ａおよび１２０Ｂの山折れ線はベースシート１１０Ａおよび１１０Ｂの谷折れ線に沿う、つまり、平行となるまで相対的に移動している。
【００３１】
この相対運動の過程において、図５（ａ）および図５（ｂ）のように、記録メディア保持シート１２０Ａおよび１２０Ｂのスリット部１２１Ａおよび１２１Ｂが記録メディア２００をベースシートの谷折れ線に対して立てて保持する仕組みとなっている。記録メディア保持シート１２０Ａおよび１２０Ｂの山折れ線は徐々にベースシート１１０Ａおよび１１０Ｂの谷折れ線に向かって接近して行く過程において、記録メディア２００はスリット部１２１Ａおよび１２１Ｂの動きに応じて徐々に立ち上がるように持ち上げられ、また、記録メディア２００は他のベースシート１１０Ａおよび１１０Ｂなどから離れて独立して立っているため、利用者にとって非常に取り出しやすい構造となっている。
【００３２】
また、記録メディア２００はスリット部１２１Ａおよび１２１Ｂにより軽く挟み持たれているために丁度良い程度に留められている。
【００３３】
次に、記録メディア２００の記録メディア収納ケース１００内での収納時における、さらなる工夫として、筒状の保護カバーを設けた構成例について説明する。
図６（ａ）は筒状の保護カバー３００を示す図である。背面図は正面図と同じであるので図示を省略している。また、左側面図は右側面図と同じであるので図示を省略した。また、底面図は平面図と同じであるので図示を省略している。保護カバー３００は外形が記録メディア収納ケース１００の外形に沿う内形を持つ筒状のものであり、図６（ｂ）に示すように、記録メディア収納ケース１００をすっぽりと内挿する形で内部に収納する。
このように保護カバー３００を設けておくことにより、記録メディア２００の抜け落ちを確実に防止することができ、かつ、長期収納時など外界からの影響から記録メディア２００の保護に資することができる。
【実施例２】
【００３４】
実施例２にかかる本発明の記録メディア収納ケース１００ａの例を示す。
ここでも、一例として、記録メディアの例として、コンパクトディスク（ＣＤ）を挙げて説明する。
【００３５】
図７は実施例２にかかる本発明の記録メディア収納ケース１００ａに設けた、付属物を収納するためのポケット１４０の構成例を示す図である。図７（ａ）は実施例１で説明した図２（ｂ）に相当する様子を示す図であり、図７（ｂ）は実施例１で説明した図３（ａ）に相当する様子を示す図である。
図７（ａ）に示すように、本構成例では、補助シート１３０Ｂを右に展開すると見える補助シート１３０Ｃの下部分に設けられている。補助シート１３０Ｄをさらに右に展開すると図７（ｂ）に示すようになり、記録メディア２００も見えることとなる。つまり、この構成例では記録メディア２００を取り出す際にはポケット１４０に収められている付属物も併せて見えることとなる。
【００３６】
図８はポケット１４０を展開した図である。図８（ａ）はポケット１４０を下に展開した様子を示す図、図８（ｂ）はポケット１４０を完全に展開した図である。
なお、本構成例は一枚の大きな紙を切り取って折り畳んで行くのみで本発明の記録メディア収納ケース１００ａを構成した例とすべくポケット１４０も簡単に折り畳んで作成したものとしたが、別の構成にかかるポケット１４０として、糊付けして製作する必要がある袋状のポケット類を排除するものではない。
【００３７】
図９は一例として、付属物である歌詞ブックレット３００をポケット１４０に収納している様子を示す図である。ポケット１４０には歌詞ブックレット３００が収納されており、図９（ｂ）の状態では歌詞ブックレット３００と記録メディア２００を併せて見ることができる。
【００３８】
以上、本発明の好ましい実施形態を図示して説明してきたが、本発明は、ＣＤ、ＤＶＤなどの記録メディアを保護する記録メディア収納ケースに広く適用することができる。
本発明の技術的範囲を逸脱することなく種々の変更が可能であることは理解されるであろう。従って本発明の技術的範囲は添付された特許請求の範囲の記載によってのみ限定されるものである。
【図面の簡単な説明】
【００３９】
【図１】本発明の記録メディア収納ケース１００の収納状態の６面図を示す図
【図２】本発明の記録メディア収納ケース１００の収納状態から展開して行く様子を示した図
【図３】本発明の記録メディア収納ケース１００の記録メディア２００の取り出し状態および構造上展開可能な状態まで展開した図
【図４】ベースシート１１０が図２（ｂ）の谷折れに閉じた状態における記録メディア保持シート１２０および記録メディア２００の様子を点線で示した図
【図５】記録メディア保持シートのスリット部１２１Ａおよび１２１Ｂが記録メディア２００をベースシートの谷折れ線に対して立てて保持する仕組みを示す図
【図６】筒状の保護カバー３００を示す図
【図７】実施例２にかかる本発明の記録メディア収納ケース１００ａの構成例を示した図
【図８】ポケット１４０を展開する様子を示す図
【図９】付属物である歌詞ブックレット３００をポケット１４０に収納している様子を示す図
【図１０】従来の特開２００４−１９６３７７号公報の技術を示す図
【図１１】従来の特開２００６−１２３９７２号公報の技術を示す図
【図１２】従来の特開２００２−６８３５４号公報の技術を示す図
【図１３】従来の特開２００１−５５２８７号公報の技術を示す図
【符号の説明】
【００４０】
１００  記録メディア収納ケース
１１０  ベースシート
１２０  記録メディア保持シート
１２１  スリット部
１３０  補助シート
３００  保護シート
【図１】
2007331842.tif 000003
【図２】
2007331842.tif 000004
【図３】
2007331842.tif 000005
【図４】
2007331842.tif 000006
【図５】
2007331842.tif 000007
【図６】
2007331842.tif 000008
【図７】
2007331842.tif 000009
【図８】
2007331842.tif 000010
【図９】
2007331842.tif 000011
【図１０】
2007331842.tif 000012
【図１１】
2007331842.tif 000013
【図１２】
2007331842.tif 000014
【図１３】
2007331842.tif 000015